(57)【要約】      （修正有）【課題】ゴルファが「スイング」の時、浮き足側の靴の先端に草や泥が堆積し、靴を磨耗したり破損するのを防止する保護具を提供する。【解決手段】靴の先端に取り付けることができ、落脱を防止する着脱可能な保持手段として帯６が設けられた被覆２を含む構成とする。【選択図】図１
2004261577.tif 000002
【特許請求の範囲】
【請求項１】
靴の先端に取り付けることができ、落脱を防止する着脱可能な保持手段が設けられた被覆（２）を含むことを特徴とする運動靴用の、特にゴルフ靴用の保護具。
【請求項２】
前記被覆（２）は、下の部分が開いており、上部（３）と、前記上部（３）に接続され、前記上部（３）に対してほぼ垂直な周囲部（４）とを有することを特徴とする請求項１に記載の保護具。
【請求項３】
前記被覆（２）は、弾力的に柔軟な人工材料でできていることを特徴とする請求項１に記載の保護具。
【請求項４】
前記人工材料は、ほぼ透明であることを特徴とする請求項３に記載の保護具。
【請求項５】
前記保持手段は、少なくとも１本の弾力的な伸びる材質でできた帯（６）を含み、該帯の２つの端部（７）は、前記周囲部（４）に設けられたそれぞれの側面の開口（５）に挿入されて固定され、前記帯（６）は、靴底の下に係合することで、前記被覆（２）を靴に固定するに適していることを特徴とする請求項１または２に記載の保護具。
【請求項６】
前記帯（６）は、ほぼ長方形の扁平した横断面であり、前記開口(５)に外側から中に挿入され、裏側に折り返され、それぞれの前記被覆（２）を貫通し前記開口（５）の下に位置するリベット（８）で固定された前記端部（７）を有することを特徴とする請求項５に記載の保護具。
【請求項７】
前記端部（７）は、前記周囲部（４）の内部にそれぞれの折返し部（９）を形成し、該折返し部は、靴の外部表面に密着するに適し、前記被覆（２）と靴の間の相対的な動きを摩擦により防止することを特徴とする請求項６に記載の保護具。
【請求項８】
前記端部（７）の一方は、端部が前記開口（５）の間の中間の位置に配置された座（１０）に堅く連結された部分（６ａ）を延伸していることを特徴とする上記請求項のいずれかに記載の保護具。
【請求項９】
前記保持手段は、少なくとも２つのフック（１２）を含み、該フックは、前記周囲部（４）に結合し、靴底の下に係合し、前記被覆（２）を靴の上に固定するに適していることを特徴とする請求項２に記載の保護具。
【請求項１０】
前記フック（１２）は、ほぼ直角に折り曲げられた堅い薄板により構成され、前記薄板は、前記折り曲げ部の上で、その上部が周囲部（４）の表面に堅く接着し、その下部が自由であり、前記折り曲げ部の下で前記靴の底の下に係合するに適していることを特徴とする請求項９に記載の保護具。
【請求項１１】
前記被覆（２）は、ゴムでできていることを特徴とする請求項１または２に記載の保護具。
【請求項１２】
前記周囲部（４）は、下部（１７）に連続しており、前記着脱可能な保持手段は、靴の底に設けられた鋲がその中に係合する複数の円形の穴（１８）により構成されていることを特徴とする上記請求項のいずれかに記載の保護具。
【発明の詳細な説明】
【技術分野】
【０００１】
本発明は、運動靴のための、特にゴルフ靴のための保護具に関する。
【背景技術】
【０００２】
ゴルファーは、「スイング」と呼ばれる動作を行いボールを打つときに、一方の足を地面に固定してしっかりと据え、他方の足を浮かせて動作の遂行に従えるように自由しておくことは公知である。
【０００３】
浮き足の地面上での移動により、必然的に、望むことなく靴の先端に草や泥が堆積する。さらに、このようにして浮き足にはいた靴は、特に磨耗したり破損する。
【発明の開示】
【０００４】
本発明の狙いは、先端への土の堆積および局所的な磨耗から浮き足にはいた靴を保護する保護具を提供することで前記欠点を未然に防ぐことである。
【０００５】
この狙いにおいて、本発明の課題は、靴の美的品質を損なわない保護具を提供することである。
【０００６】
靴の先端に取り付けることができ、落脱を防止する着脱可能な保持手段が設けられた被覆を含むことを特徴とする運動靴用の、特にゴルフ靴用の保護具。
【０００７】
この狙いおよびこれらと他の課題は、靴の先端に取りつけられ、落脱を防止する着脱可能な保持手段が設けられた、被覆を含むスポーツ靴用の、特にゴルフ靴用の本保護具ですべて達成される。
【発明を実施するための最良の形態】
【０００８】
本発明のさらなる特徴は、添付図に非制限的例として示した本発明による運動靴用の、特にゴルフ靴用の保護具のいくつかの好ましいが限定的ではない実施形態についての詳細な説明からより明らかとなるであろう。
【０００９】
以下の実施形態の例において、具体的な例に関して与えられる個々の特徴は、他の実施形態の例にある他の異なる特徴と実際に置き換えが可能である。
【００１０】
特に図１および２を参照すると、参照番号１は、一般に本発明による運動靴用の、特にゴルフ靴用の保護具を示す。
【００１１】
保護具は、ショットを行うときに浮き足として動作する足にはいた靴の先端に取りつけることができる被覆２を含み、かかる被覆は、靴から偶発的な落脱を防止するように着脱可能な保持手段が設けられている。
【００１２】
被覆２は、下の部分が開いており、靴の先端の表面を覆うように設計された上部３と、該上部３と融合し、それに対し垂直な、靴の底にほぼ達する周囲部４からなる。２つの互いに向かい合う側面の開口５が、被覆２の周囲部４の後部に形成され、具体的には、開口は長手方向に扁平なほぼ長方形の形状を有する。
【００１３】
被覆２は、好ましくは、一度それが取り付けられれば靴の先端の形状に合うに適した、弾力的で柔軟な人工材料できている。
【００１４】
都合よくは、そのような人工材料は、靴の、特に元のままに保たねばならない色に関して、美的品質を損なわないようにほぼ透明な種類のものからなる。
【００１５】
被覆２の着脱可能な保持手段は、弾力的に伸びる材質でできた帯６により構成されており、帯の端部７はそれぞれの開口５に挿入され、そこで固定されている。帯６は靴底の下に係合し、一度、然るべく僅かの牽引力下に置かれると、保護具が靴から自然に外れるのを防止する保持具を構成する（一般に、ゴルフ靴は、靴底に地面をつかむ複数の表面突起または鋲があり、それらは帯６の保持を容易にするので動作中の信頼性が保証される）。
【００１６】
帯６は、ほぼ長方形の扁平した横方向の断面を有し、それぞれの開口５に好ましくは外側から内側に挿入されて裏側に折り返された端部７を有している。端部７は、それぞれの周囲部を貫通し、それぞれの開口５の下にそれぞれ位置するリベット８で固定されている。
【００１７】
帯６の端部７の折り曲げによる、それぞれの下部折返し部９は、周囲部４の内側表面に密着され、靴の表面に対する高い摩擦係数のため、前記被覆２と靴の間の相対的な動きを防止するのに好ましい。
【００１８】
本発明による保護具の使用は直感的に理解することができる。保護具はショットの間に浮く足にはいた靴の先端に、靴底の下に帯６を通すことにより簡単に取り付けられる。帯６は、僅かな牽引力の下に置かれ、被覆２の靴の先端の形状への適合を引き起こし、同時に、前記被覆２の偶発的な落脱を防止する。
【００１９】
保護具は、様々な型のゴルフ用運動靴に適合することができるが、異なる使用目的の靴にも取りつけられることを注記する。
【００２０】
このように、本発明は意図される狙いと目的を達成することが示された。
【００２１】
このように着想されて、本発明は、添付の特許請求の範囲内にある、非常に多くの改良や変形が可能である。
【００２２】
例えば、帯６は、靴の内側に位置する端部７を過ぎて、２つの端部７と同様に、さらに設けられたリベット１１を有する座１０に達する部分６ａに延伸してもよい。このように、追加の帯部６ａは、使用中に靴の上にある保護具の先端の保持を助け、その浮き上がりを防止する。座１０の配置は、使用中に周囲部での帯６で発生するすり減らす動作を最小にすることを確実にするようなものである。
【００２３】
代案として、被覆２は、適当に配置されたほぼＬ型のフック１２により靴に固定できる。フック１２の内の２つは、互いに向かい合い、位置１３と１４に固定されなければならない。３番目のフックは、靴の先端に近接し外側の参照番号１５で示される位置に固定される。フック１２は、靴の底の下に配置された折り返し１６を有することで、被覆２を靴にしっかりと結合させることを許す。
【００２４】
本発明による保護具の好ましい実施形態、被覆２は、好ましくはゴムでできており、周囲部４に接続された下部１７と連続している。着脱可能な保持手段は、靴の底に設けられた鋲が係合するように設計された複数の穴１８によって構成されている。
【００２５】
この最後の実施形態は、鋲を穴１８へ挿入することと前記靴の表面でのゴムの摩擦とによって靴の上の保護具の効果的な固定が確実になることから、特に都合がよい。
【００２６】
すべての細部は、他の技術的に均等なもので置き換えることができる。
【００２７】
実際には、使用される材質、形状と寸法もまた、添付した特許請求の範囲を放棄することなく、いかなる要求によるものともすることができる。
【図面の簡単な説明】
【００２８】
【図１】運動靴用の保護具の斜視図。
【図２】保護具の一部の部分断面後方詳細図。
【図３】保護具の他の実施形態の平面図。
【図４】本発明による保護具のさらなる実施形態の斜視図。
【図５】本発明による保護具のさらなる好ましい実施形態の斜視図。
【図６】図５に示す保護具の好ましい実施形態の平面図。
【符号の説明】
【００２９】
１  保護具
２  被覆
３  上部
４  周囲部
５  開口
６  帯
６ａ  追加の帯部
７  端部
８  リベット
９  折返し部
１０  座
１２  フック
１７  下面部
１８  穴
【図１】
2004261577.tif 000003
【図２】
2004261577.tif 000004
【図３】
2004261577.tif 000005
【図４】
2004261577.tif 000006
【図５】
2004261577.tif 000007
【図６】
2004261577.tif 000008
【外国語明細書】
PROTECTION FOR A SPORTS SHOE, PARTICULARLY FOR A GOLF SHOE
The present invention relates to a protection for a sports shoe, particularly for a golf shoe.
It is known that a golfer, when performing the so-called "swing" motion to strike the ball, has one foot that is fixed and firmly placed on the ground, while the other foot floats and is therefore free to follow the execution of the action.
The mobility of the floating foot on the ground produces the inevitable and unwanted accumulation of grass and mud on the tip of the shoe; moreover, in this manner the shoe worn by the floating foot is particularly subject to wear or breakage.
The aim of the present invention is to obviate the cited drawbacks by providing a protection that preserves the shoe worn by the floating foot against accumulation of dirt on the tip and against localized wear.
Within this aim, an object of the present invention is to provide a protection that does not compromise the aesthetic qualities of the shoe.
Another object of the present invention is to provide a protection structure that is simple, relatively easy to provide in practice, safe in use, effective in operation, and relatively low in cost.
This aim and these and other objects are all achieved by the present protection for a sports shoe, particularly for a golf shoe, characterized in that it comprises a sheath that can be applied to the tip of the shoe and is provided with removable retention means to prevent its disengagement.
Further features of the invention will become better apparent from the detailed description of some preferred but not exclusive embodiments of a protection for a sports shoe, particularly for a golf shoe, according to the invention, illustrated by way of non-limitative example in the accompanying drawings, wherein:
Figure 1 is a perspective view of the protection for a sports shoe:
Figure 2 is a partially sectional rear detail view of a portion of said protection;
Figure 3 is a top plan view of an alternative embodiment of the protection;
Figure 4 is a perspective view of a further embodiment of the protection according to the invention.
Figure 5 is a perspective view of another preferred embodiment of the protection according to the invention.
Figure 6 is a plan view of the preferred embodiment of the protection illustrated in Figure 5.
In the examples of embodiments that follow, individual characteristics, given in relation to specific examples, may actually be interchanged with other different characteristics that exist in other examples of embodiments.
With particular reference to Figures 1 and 2, the reference numeral 1 generally designates a protection for a sports shoe, particularly for a golf shoe, according to the invention.
The protection comprises a sheath 2, which can be applied to the tip of the shoe worn by the foot that, when performing the shot, acts as a floating foot; such sheath is provided with removable retention means that are adapted to prevent accidental disengagement from the shoe.
The sheath 2 is open in a downward region and is composed of an upper portion 3, which is designed to cover the surface of the tip of the shoe, and a perimetric portion 4, which is blended with the upper portion 3 and perpendicular thereto, and reaches substantially the sole of the shoe.  Two mutually opposite lateral openings 5 are formed in the perimetric portion 4 of the sheath 2 and at the rear; in the specific case, the openings have a longitudinally flattened substantially rectangular geometry.
The sheath 2 is preferably made of elastically flexible synthetic material, suitable to adapt to the shape of the tip of the shoe once it is applied thereto.
Advantageously, such synthetic material is of the substantially transparent type, so as to not compromise the aesthetic qualities of the shoe, especially as regards its color, which must remain intact.
The means for removable retention of the sheath 2 are constituted by a band 6 made of elastically extendible material, in which the ends 7 of the band are inserted in the respective openings 5 and are locked thereat: the band 6 engages below the sole and, once accordingly placed under slight traction, constitutes a retention element against the spontaneous disengagement of the protection from the shoe (the golf shoe is generally provided, in its sole, with a plurality of surface protrusions or studs for gripping the ground that facilitate the retention of the band 6, thus  ensuring reliability in operation).
The band 6 has a substantially rectangular flattened transverse cross-section, with ends 7 that are inserted in the respective openings 5 preferably from the outside inward and are folded back: the ends 7 are locked by respective rivets 8, which pass through the perimetric portion and are each located below the respective opening 5.
The ends 7 of the band 6 form, by folding, respective lower flaps 9, which adhere to the internal surface of the perimetric portion 4, and thanks to the high coefficient of friction with respect to the surface of the shoe, are suitable to prevent relative movements between said sheath 2 and the shoe.
The use of the protection according to the invention is intuitive.  It is easily applied to the tip of the shoe worn by the foot that floats during the shot, by making the band 6 pass below the sole: the band 6 is thus subjected to a slight traction, causes the adaptation of the sheath 2 to the shape of the tip of the shoe, and at the same time prevents said sheath 2 from being removed accidentally.
It is noted that the protection can be adapted to various models of sports shoes for golf, but can also be applied to shoes intended for different uses.
It has thus been shown that the invention achieves the intended aim and objects.
The invention thus conceived is susceptible of numerous modifications and variations, all of which are within the scope of the appended claims.
For example, the band 6 can continue with a portion 6a beyond the end 7 located on the inner side of the shoe, reaching a further seat 10 provided with a rivet 11, similarly to what occurs in the two ends 7.  In this manner, the additional band portion 6a helps to retain the tip of the protection on the shoe during use, preventing its lifting.  The arrangement of the seat 10 is such as to ensure that during use the abrasive actions that occur on the band 6 at its transverse portion are minimal.
As an alternative, the sheath 2 can be anchored to the shoe by means of suitably arranged substantially L-shaped hooks 12.  Two of the hooks 12 must face each other and must be anchored to the points 13 and 14; the third hook is fixed proximate to the tip of the shoe on the outer side, in the position designated by the reference numeral 15.  The hooks 12, by having their flap 16 arranged below the sole of the shoe, allow to couple the sheath 2 firmly to the shoe.
In a preferred embodiment of the protection according to the invention, the sheath 2, preferably made of rubber, continues with a lower portion 17 that is connected to the perimetric portion 4: the removable retention means are constituted by a plurality of circular holes 18 within which studs provided on the sole of the shoe are designed to engage.
This last embodiment is particularly advantageous, since it ensures an effective fixing of the protection on the shoe by way of the insertion of the studs in the holes 18 and of the friction of the rubber on the surface of said shoe.
All the details may be replaced with other technically equivalent ones.
In practice, the materials used, as well as the shapes and dimensions, may be any according to requirements without thereby abandoning the scope of the protection of the appended claims.
CLAIMS
1. A protection for a sports shoe, particularly for a golf shoe, characterized in that it comprises a sheath (2) that can be applied to the tip of the shoe and is provided with removable retention elements to prevent its disengagement.
2. The protection according to claim 1, characterized in that said sheath (2) is open in a downward region and has an upper portion (3) and a perimetric portion (4), which is connected to said upper portion (3) and is substantially perpendicular thereto.
3. The protection according to claim 1, characterized in that said sheath (2) is made of elastically flexible synthetic material.
4. The protection according to claim 3, characterized in that said synthetic material is substantially transparent.
5. The protection according to claims 1 and 2, characterized in that said retention means comprise at least one band (6) made of elastically extendible material, the two ends (7) of which are inserted and fixed in respective lateral openings (5) provided in said perimetric portion (4), said band (6) being adapted to lock said sheath (2) on the shoe by engaging under the sole.
6. The protection according to claim 5, characterized in that said band (6) has a substantially rectangular flattened transverse cross-section and has said ends (7) inserted in said openings (5) from the outside inward, folded back and locked by respective rivets (8) that pass through said sheath (2) and are located below said openings (5).
7. The protection according to claim 6, characterized in that said ends (7) form, inside said perimetric portion (4), respective flaps (9) that are adapted to adhere to the outer surface of the shoe, preventing by friction relative movements between said sheath (2) and the shoe.
8. The protection according to one or more of the preceding claims, characterized in that one of said ends (7) continues with a portion (6a) whose end is rigidly coupled to a seat (10) that is arranged in an intermediate position between said openings (5).
9. The protection according to claim 2, characterized in that said retention means comprise at least two hooks (12), which are associated with said perimetric portion (4) and are adapted to lock said sheath (2) onto the shoe, engaging under the sole.
10. The protection according to claim 9, characterized in that said hooks (12) are constituted by a rigid lamina that has a substantially right-angled fold and in that said lamina adheres, above said fold, in its upper part, to the surface of said perimetric portion (4), is free in its lower part, and is adapted to engage under the sole of said shoe below said fold.
11. The protection according to claims 1 and 2, characterized in that said sheath (2) is made of rubber material.
12. The protection according to one or more of the preceding claims, characterized in that said perimetric portion (4) continues with a lower portion (17), said removable retention means being constituted by a plurality of circular holes (18) in which studs provided in the sole of the shoe are meant to engage.
ABSTRACT
A protection for a sports shoe, particularly for a golf shoe, comprising a sheath (2) that can be applied to the tip of the shoe and is provided with removable retention elements to prevent its disengagement.
(Figure 1)
2004261577.tif 000009
2004261577.tif 000010
2004261577.tif 000011